(57)【要約】【課題】複数本の単位ケーブルの撚り戻し作業を安全且つ確実に行ない、電力用ケーブルの停止確認作業を行い易くするための、電力用ケーブルの撚り戻し工具および撚り戻し方法を提供する。【解決手段】本発明は、複数本の単位ケーブルを一体的に撚り合わせた状態からその撚りを戻して、当該単位ケーブルの１線を他線から離すための電力用ケーブルの撚り戻し工具であって、該撚り戻し工具は、互いに撚り合わされている各単位ケーブルの相互間に挿入して撚り戻しを行う撚り戻し棒と、各単位ケーブルの撚りを戻した状態を保持する撚り戻し状態保持部材と、を備えている。【選択図】図５
2009071915.tif 000002
【特許請求の範囲】
【請求項１】
複数本の単位ケーブルを一体的に撚り合わせた状態からその撚りを戻して、当該単位ケーブルの１線を他線から離すための電力用ケーブルの撚り戻し工具であって、該撚り戻し工具は、互いに撚り合わされている各単位ケーブルの相互間に挿入して撚り戻しを行う撚り戻し棒と、各単位ケーブルの撚りを戻した状態を保持する撚り戻し状態保持部材と、を備えたことを特徴とする電力用ケーブルの撚り戻し工具。
【請求項２】
撚り戻し棒は、各単位ケーブルの撚り合わせ間に入り込み易くするために、両端がテーパー状に形成されている請求項１に記載の電力用ケーブルの撚り戻し工具。
【請求項３】
撚り戻し棒は、木・エポキシガラス・布ベークのいずれかの電気絶縁素材によって形成されている請求項１または２に記載の電力用ケーブルの撚り戻し工具。
【請求項４】
撚り戻し状態保持部材は、握り拳状のブロック体により形成されている請求項１乃至３のいずれかに記載の電力用ケーブルの撚り戻し工具。
【請求項５】
撚り戻し状態保持部材は、ブロック体の一端面側において、各単位ケーブルの１線を支持する第１固定部と、ブロック体の他端面側において、各単位ケーブルの他線を支持する第２固定部と、を有する請求項１乃至４のいずれかに記載の電力用ケーブルの撚り戻し工具。
【請求項６】
撚り戻し状態保持部材の第１固定部は、１つの凹部により形成され、第２固定部は、複数の凹部を連設して形成されている請求項１乃至５のいずれかに記載の電力用ケーブルの撚り戻し工具。
【請求項７】
撚り戻し状態保持部材は、硬度７０°程度の硬質ゴムにより形成されている請求項１乃至６のいずれかに記載の電力用ケーブルの撚り戻し工具。
【請求項８】
前記硬質ゴムは、ウレタンゴムである請求項７に記載の電力用ケーブルの撚り戻し工具。
【請求項９】
複数本の単位ケーブルを一体的に撚り合わせた状態からその撚りを戻して、当該単位ケーブルの１線を他線から離すための電力用ケーブルの撚り戻し方法であって、特定ヶ所における各単位ケーブルの撚り合わせ相互間に撚り戻し棒を挿入して各単位ケーブルの撚り戻しを行う工程と、この撚りを戻した部分の各単位ケーブル間にブロック体である撚り戻し状態保持部材を配置する工程と、この撚り戻し状態保持部材の後壁をハンマーで叩いて前方に移動させる工程と、この撚り戻し状態保持部材と背中合わせになるように、撚りを戻した部分に他の撚り戻し状態保持部材を配置する工程と、撚り戻し棒を抜き取る工程と、他の撚り戻し状態保持部材の後壁をハンマーで叩いて前方に移動させる工程と、からなることを特徴とする電力用ケーブルの撚り戻し方法。
【請求項１０】
複数本の単位ケーブルを一体的に撚り合わせた状態からその撚りを戻して、当該単位ケーブルの１線を他線から離すための電力用ケーブルの撚り戻し方法であって、特定ヶ所における各単位ケーブルの撚り合わせ相互間に撚り戻し棒を挿入して各単位ケーブルの撚り戻しを行う工程と、この撚りを戻した部分の各単位ケーブル間にブロック体である撚り戻し状態保持部材を配置する工程と、この撚り戻し状態保持部材の後壁をハンマーで叩いて前方に移動させる工程と、撚り戻し棒を抜き取る工程と、特定箇所から所定の距離を隔てた離隔箇所に撚り戻し棒を挿入して各単位ケーブルの撚り戻しを行う工程と、この撚りを戻した部分の各単位ケーブル間にブロック体である他の撚り戻し状態保持部材を、前記した撚り戻し状態保持部材と背中合わせになるように配置する工程と、撚り戻し棒を抜き取る工程と、他の撚り戻し状態保持部材の後壁をハンマーで叩いて前方に移動させる工程と、からなることを特徴とする電力用ケーブルの撚り戻し方法。
【請求項１１】
撚りを戻した部分の各単位ケーブル間にブロック体である撚り戻し状態保持部材を配置する工程は、撚り戻し状態保持部材の第１固定部の凹部に各単位ケーブルの１線を支持させ、第２固定部の連設した凹部に各単位ケーブルの他線を支持させる請求項９または１０に記載の電力用ケーブルの撚り戻し方法。
【発明の詳細な説明】
【技術分野】
【０００１】
本発明は、複数本の単位ケーブルを一体的に撚り合わせた状態の既設ＣＶＴ等の電力用ケーブルの切断作業を行う前に、当該ケーブルが停止状態であるかどうかの確認作業（電力用ケーブルの停止確認作業）を行い易くするために使用されるもので、一体的に撚り合わせた状態の単位ケーブルの撚りを戻して、検電する１線を他の２線から離すための、電力用ケーブルの撚り戻し工具および撚り戻し方法に関するものである。
【背景技術】
【０００２】
トラフの中に配設された既設ＣＶＴ等の電力用ケーブルは、一般的に三相の電力を送電するために、３本の単位ケーブルから構成されている。この電力用ケーブルは、図８（ａ）に示すように、隣り合う単位ケーブル同士の外周面が接するようにして撚り合わせ、３本の単位ケーブルを実質的に一本化している。
【０００３】
また、図７に示すように、Ａ供給用配電箱とＢ供給用配電箱との間の新たなお客さまに供給する目的で供給用配電箱を新設するために、この電力用ケーブルの切断作業を行うには、その前段として当該ケーブルが確実に停止しているかどうかを確認する必要がある。
【０００４】
即ち、この電力用ケーブルの停止確認作業は、例えば、ケーブル切断場所の確認、切断ケーブルの確認、ケーブル切断場所の足場の確保、開閉器操作によるケーブル停止、ケーブルの停止線判別、ケーブルへの短絡接地用具の取り付け、ビニールシースの剥離、ゴム引き布テープの剥離、遮蔽銅テープの剥離、半導体性布テープの剥離、絶縁層表面のカーボンの拭き取り、当該ケーブルの停止確認、当該ケーブルへのケーブルピックの打ち込み等の手順によって行われる。
【０００５】
そして、このような電力用ケーブルの停止確認作業を行うにあたって、これら３本の単位ケーブルの撚りを戻して、作業が行い易いようにしなければならない。
【０００６】
しかしながら、この撚り戻し作業に使われる専用工具が今までには存在しないことから、従来においては、ドライバーやハンマー等の柄を使用して、単位ケーブルの撚りを戻していた。
【０００７】
即ち、図８（ａ）に示すように、互いに撚り合わせられている３本の単位ケーブルＫ１，Ｋ２，Ｋ３の撚りを戻す場合、まず、図８（ｂ）に示すように、１本のハンマーＨの柄を単位ケーブルＫ１と単位ケーブルＫ２の間に挿入し、もう１本のハンマーＨの柄を単位ケーブルＫ２と単位ケーブルＫ３の間に挿入する。
【０００８】
そして、図８（ｃ）に示すように、これら両ハンマーＨを互いに反対方向に撚りながら離隔させることで、各単位ケーブルＫ１，Ｋ２，Ｋ３のそれぞれの撚りを戻して開放状態にする。
【０００９】
こうして、複数本の単位ケーブルを一体的に撚り合わせた状態の電力用ケーブルにおいて、その撚りを戻して相互の単位ケーブルを離すと、電力用ケーブルの停止確認作業がし易い状態となるのである。
【特許文献１】特になし
【発明の開示】
【発明が解決しようとする課題】
【００１０】
しかしながら、従来においては、電力用ケーブルの製造工程において、３本の単位ケーブルを均一に撚り合わせていることから、その一部分だけをドライバーやハンマー等の柄を使って強引に撚り戻した場合、撚りの反発力によりドライバーやハンマー等が外れてしまい、作業者の手足が単位ケーブルに巻き込まれる等の危険性があり、安全性と作業性の面で劣るものであった。
【００１１】
そこで、本発明は、如上のような従来存した諸事情に鑑み創出されたもので、複数本の単位ケーブルの撚り戻し作業を安全且つ確実に行ない、電力用ケーブルの停止確認作業を行い易くするための、電力用ケーブルの撚り戻し工具および撚り戻し方法を提供することを目的とする。
【課題を解決するための手段】
【００１２】
本発明は、複数本の単位ケーブルを一体的に撚り合わせた状態からその撚りを戻して、当該単位ケーブルの１線を他線から離すための電力用ケーブルの撚り戻し工具であって、該撚り戻し工具は、互いに撚り合わされている各単位ケーブルの相互間に挿入して撚り戻しを行う撚り戻し棒と、各単位ケーブルの撚りを戻した状態を保持する撚り戻し状態保持部材と、を備えたことで、上述した課題を解決した。
【００１３】
また、撚り戻し棒は、各単位ケーブルの撚り合わせ間に入り込み易くするために、両端がテーパー状に形成されていることで、同じく上述した課題を解決した。
【００１４】
さらに、撚り戻し棒は、木・エポキシガラス・布ベークのいずれかの電気絶縁素材によって形成されていることで、同じく上述した課題を解決した。
【００１５】
また、撚り戻し状態保持部材は、握り拳状のブロック体により形成されていることで、同じく上述した課題を解決した。
【００１６】
加えて、撚り戻し状態保持部材は、ブロック体の一端面側において、各単位ケーブルの１線を支持する第１固定部と、ブロック体の他端面側において、各単位ケーブルの他線を支持する第２固定部と、を有することで、同じく上述した課題を解決した。
【００１７】
また、撚り戻し状態保持部材の第１固定部は、１つの凹部により形成され、第２固定部は、複数の凹部を連設して形成されていることで、同じく上述した課題を解決した。
【００１８】
この他、撚り戻し状態保持部材は、硬度７０°程度の硬質ゴムにより形成されていることで、同じく上述した課題を解決した。
【００１９】
また、前記硬質ゴムは、ウレタンゴムであることで、同じく上述した課題を解決した。
【００２０】
一方、本発明は、複数本の単位ケーブルを一体的に撚り合わせた状態からその撚りを戻して、当該単位ケーブルの１線を他線から離すための電力用ケーブルの撚り戻し方法であって、特定ヶ所における各単位ケーブルの撚り合わせ相互間に撚り戻し棒を挿入して各単位ケーブルの撚り戻しを行う工程と、この撚りを戻した部分の各単位ケーブル間にブロック体である撚り戻し状態保持部材を配置する工程と、この撚り戻し状態保持部材の後壁をハンマーで叩いて前方に移動させる工程と、この撚り戻し状態保持部材と背中合わせになるように、撚りを戻した部分に他の撚り戻し状態保持部材を配置する工程と、撚り戻し棒を抜き取る工程と、他の撚り戻し状態保持部材の後壁をハンマーで叩いて前方に移動させる工程と、からなることで、同じく上述した課題を解決した。
【００２１】
また、複数本の単位ケーブルを一体的に撚り合わせた状態からその撚りを戻して、当該単位ケーブルの１線を他線から離すための電力用ケーブルの撚り戻し方法であって、特定ヶ所における各単位ケーブルの撚り合わせ相互間に撚り戻し棒を挿入して各単位ケーブルの撚り戻しを行う工程と、この撚りを戻した部分の各単位ケーブル間にブロック体である撚り戻し状態保持部材を配置する工程と、この撚り戻し状態保持部材の後壁をハンマーで叩いて前方に移動させる工程と、撚り戻し棒を抜き取る工程と、特定箇所から所定の距離を隔てた離隔箇所に撚り戻し棒を挿入して各単位ケーブルの撚り戻しを行う工程と、この撚りを戻した部分の各単位ケーブル間にブロック体である他の撚り戻し状態保持部材を、前記した撚り戻し状態保持部材と背中合わせになるように配置する工程と、撚り戻し棒を抜き取る工程と、他の撚り戻し状態保持部材の後壁をハンマーで叩いて前方に移動させる工程と、からなることで、同じく上述した課題を解決した。
【００２２】
さらに、撚りを戻した部分の各単位ケーブル間にブロック体である撚り戻し状態保持部材を配置する工程は、撚り戻し状態保持部材の第１固定部の凹部に各単位ケーブルの１線を支持させ、第２固定部の連設した凹部に各単位ケーブルの他線を支持させることで、同じく上述した課題を解決した。
【発明の効果】
【００２３】
本発明によれば、複数本の単位ケーブルの撚り戻し作業を安全且つ確実に行ない、電力用ケーブルの停止確認作業を行い易くすることができる。
【００２４】
即ち、本発明において、撚り戻し工具は、互いに撚り合わされている各単位ケーブルの相互間に挿入して撚り戻しを行う撚り戻し棒と、各単位ケーブルの撚りを戻した状態を保持する撚り戻し状態保持部材と、を備えたので、撚り戻し棒により各単位ケーブルの撚り戻しを容易に行うと共に、撚り戻し状態保持部材により、撚りの反発力による撚り戻し棒の外れを確実に防ぐことができる。
【００２５】
そのため、従来のように作業者の手足が単位ケーブルに巻き込まれる等の危険性を排除し、各単位ケーブルの撚り戻し作業を安全且つ確実に行なうことができるのである。
【００２６】
また、撚り戻し棒は、各単位ケーブルの撚り合わせ間に入り込み易くするために、両端がテーパー状に形成されているので、各単位ケーブルの撚り合わせ間に、当該ケーブルの撚りの反発力に抗して撚り戻し棒を容易に挿入することができる。
【００２７】
さらに、撚り戻し棒は、木・エポキシガラス・布ベークのいずれかの電気絶縁素材によって形成されているので、撚り戻し作業中における感電事故の発生を未然に防止することができる。
【００２８】
また、撚り戻し状態保持部材は、握り拳状のブロック体により形成されているので、当該撚り戻し状態保持部材を複数本の単位ケーブルの相互間に配置して、検電する１線を他線から離すことができる。
【００２９】
加えて、撚り戻し状態保持部材は、ブロック体の一端面側において、各単位ケーブルの１線を支持する第１固定部と、ブロック体の他端面側において、各単位ケーブルの他線を支持する第２固定部と、を有するので、単位ケーブルの検電する１線を、他線から距離を確保した状態で確実に支持することができる。
【００３０】
また、撚り戻し状態保持部材の第１固定部は、１つの凹部により形成され、第２固定部は、複数の凹部を連設して形成されているので、単位ケーブルの検電する１線と他線を、それぞれの凹部により確実に支持することができる。
【００３１】
さらに、撚り戻し状態保持部材は、硬度７０°程度の硬質ゴムにより形成されているので、撚り戻し状態保持部材を複数本の単位ケーブルの相互間に配置した際に、当該ケーブルに対する圧力負荷を軽減でき、しかも、単位ケーブル内部の絶縁体に悪影響を与えることもない。
【００３２】
また、前記硬質ゴムは、ウレタンゴムであるので、各単位ケーブルの、完全な絶縁管理下における補修作業が可能となる。
【００３３】
この他、本発明は、複数本の単位ケーブルを一体的に撚り合わせた状態からその撚りを戻して、当該単位ケーブルの１線を他線から離すための電力用ケーブルの撚り戻し方法であって、特定ヶ所における各単位ケーブルの撚り合わせ相互間に撚り戻し棒を挿入して各単位ケーブルの撚り戻しを行う工程と、この撚りを戻した部分の各単位ケーブル間にブロック体である撚り戻し状態保持部材を配置する工程と、この撚り戻し状態保持部材の後壁をハンマーで叩いて前方に移動させる工程と、この撚り戻し状態保持部材と背中合わせになるように、撚りを戻した部分に他の撚り戻し状態保持部材を配置する工程と、撚り戻し棒を抜き取る工程と、他の撚り戻し状態保持部材の後壁をハンマーで叩いて前方に移動させる工程と、からなることから、電力用ケーブルの撚り戻し作業を、１名の作業員により、およそ２分間で終了できる。
【００３４】
そして、撚り戻し棒により各単位ケーブルの撚り戻しを容易に行うと共に、撚り戻し状態保持部材により、撚りの反発力による撚り戻し棒の外れを確実に防ぐことができる。
【００３５】
そのため、撚り戻し状態保持部材により、単位ケーブルの検電する１線を他線から離して支持することができ、電力用ケーブルの停止確認作業を行い易くすることができる。
【００３６】
具体的には、例えば、ケーブルの死活判別、ケーブルシースの剥離、ケーブルピックの打ち込み等の各作業、さらには、ケーブル切断、交換接続等の補修作業を容易に行える状態となるのである。
【００３７】
また、複数本の単位ケーブルを一体的に撚り合わせた状態からその撚りを戻して、当該単位ケーブルの１線を他線から離すための電力用ケーブルの撚り戻し方法であって、特定ヶ所における各単位ケーブルの撚り合わせ相互間に撚り戻し棒を挿入して各単位ケーブルの撚り戻しを行う工程と、この撚りを戻した部分の各単位ケーブル間にブロック体である撚り戻し状態保持部材を配置する工程と、この撚り戻し状態保持部材の後壁をハンマーで叩いて前方に移動させる工程と、撚り戻し棒を抜き取る工程と、特定箇所から所定の距離を隔てた離隔箇所に撚り戻し棒を挿入して各単位ケーブルの撚り戻しを行う工程と、この撚りを戻した部分の各単位ケーブル間にブロック体である他の撚り戻し状態保持部材を、前記した撚り戻し状態保持部材と背中合わせになるように配置する工程と、撚り戻し棒を抜き取る工程と、他の撚り戻し状態保持部材の後壁をハンマーで叩いて前方に移動させる工程と、からなることから、電力用ケーブルの撚り戻し作業を、安全に行うことができる。
【００３８】
即ち、撚り戻し棒により各単位ケーブルの撚り戻しを容易に行うと共に、各単位ケーブル間に２個の撚り戻し状態保持部材を宛がうことから、単位ケーブルの検電する１線を他線から離した状態を、２個の撚り戻し状態保持部材により確実に維持することができる。
【００３９】
また、２個の撚り戻し状態保持部材は、互いに背中合わせになるように配置され、所定の距離を隔てて存在することから、電力用ケーブルの撚りを戻し、単位ケーブルの検電する１線と、他線との距離を大きく確保することができる。
【００４０】
その為、電力用ケーブルの停止確認作業が、より行い易くなるのである。
【００４１】
さらに、撚りを戻した部分の各単位ケーブル間にブロック体である撚り戻し状態保持部材を配置する工程は、撚り戻し状態保持部材の第１固定部の凹部に各単位ケーブルの１線を支持させ、第２固定部の連設した凹部に各単位ケーブルの他線を支持させるので、ブロック体自身の所定の大きさにより、検電する１線を他線から確実に離すことができる。
【００４２】
また、各凹部により各単位ケーブルを支持させるので、この凹部から単位ケーブルが外れて落ちることがなく、単位ケーブルの検電する１線を他線から離した状態を確実に維持することができる。
【００４３】
さらに、撚りを戻した状態の各単位ケーブル間において、２個の撚り戻し状態保持部材が、互いに背中合わせになるように配置され、所定の距離を隔てて存在することから、それぞれの撚り戻し状態保持部材により、第１固定部の凹部で各単位ケーブルの１線を支持し、第２固定部の連設した凹部で各単位ケーブルの他線を支持することとなり、単位ケーブルの検電する１線と、他線との距離を大きく確保することができるのである。
【００４４】
そのため、複数本が撚り合った単位ケーブルの撚り戻し作業をさらに安全且つ確実に行なうことができる。
【００４５】
この他、本発明の撚り戻し工具の他の使用方法として、３本の単位ケーブルを撚り合わせて実質的に一本化している電力用ケーブルにおいて、３本の単位ケーブルの中の１本だけに絶縁破壊等の不具合が発生した場合、３本の単位ケーブルを一体的に撚り合わせた状態から、撚りを戻して事故相の単位ケーブルを健全相である他の単位ケーブルから離し、事故相の単位ケーブルだけを切断し、交換用の単位ケーブルを再接続するために本発明の撚り戻し工具を使用することができる。
【発明を実施するための最良の形態】
【００４６】
以下に、本発明を実施するための最良の形態を、図面を参照して説明する。
【００４７】
本発明は、複数本の単位ケーブルを一体的に撚り合わせた状態からその撚りを戻して、当該単位ケーブルの１線を他線から離すための電力用ケーブルの撚り戻し工具である。
【００４８】
この電力用ケーブルの撚り戻し工具は、図１に示す撚り戻し棒１と、図３（ａ）（ｂ）に示す撚り戻し状態保持部材１１（１１Ａ，１１Ｂ）とから構成されている。
【００４９】
撚り戻し棒１は、トラフの中に配設された三相の電力を送電するための３本の単位ケーブルＫ１，Ｋ２，Ｋ３において（図８（ａ）参照）、互いに撚り合わされている各単位ケーブルＫ１，Ｋ２，Ｋ３の相互間に挿入して、各単位ケーブルＫ１，Ｋ２，Ｋ３の撚り戻しを行うものである。
【００５０】
また、撚り戻し状態保持部材１１（１１Ａ，１１Ｂ）は、各単位ケーブルＫ１，Ｋ２，Ｋ３の撚りを戻した状態を保持するものである。この撚り戻し状態保持部材１１は、２個（１１Ａ，１１Ｂ）用意されている。
【００５１】
尚、本実施の形態においては、３本の単位ケーブルＫ１，Ｋ２，Ｋ３を互いに撚り合わせて実質的に一本化している電力用ケーブルに、撚り戻し工具を適用してその撚りを戻しているが、三相の単位ケーブルＫ１，Ｋ２，Ｋ３に限定されることはなく、三相以上の単位ケーブルに撚り戻し工具を適用しても良い。
【００５２】
尚、三相以上の単位ケーブルに撚り戻し工具を適用するときには、撚り戻し状態保持部材１１（１１Ａ，１１Ｂ）における、後述する第２固定部１３ａ，１３ｂの数が増えるものとなる。
【００５３】
撚り戻し棒１は、図２（ａ）（ｂ）に示すように、例えば、木・エポキシガラス・布ベーク等の電気絶縁素材を用いて、長さ約３２０ｍｍ、直径約３０ｍｍ程度の棒状に形成されている。
【００５４】
また、撚り戻し棒１は、両端に対称形状のテーパー２が設けられている。このテーパー２は、各単位ケーブルＫ１，Ｋ２，Ｋ３の撚り合わせ間に入り込み易くするためのもので、約７０ｍｍ程度の長さを有している。
【００５５】
一方、撚り戻し状態保持部材１１（１１Ａ，１１Ｂ）は、図３（ａ）（ｂ）に示すように、硬度７０°程度の硬質ゴムである、例えば、電気絶縁性を有するウレタンゴム等からなる、握り拳状のブロック体により形成されている。
【００５６】
また、撚り戻し状態保持部材１１（１１Ａ，１１Ｂ）は、撚りを戻した各単位ケーブルＫ１，Ｋ２，Ｋ３間に配置し、単位ケーブルＫ１，Ｋ２，Ｋ３間を移動し易くするために、図３（ｂ）・図４（ａ）（ｄ）に示すように、ブロック体の縦長状の前壁Ｆが、縦長状の後壁Ｂよりも幅狭に形成され、後壁Ｂ側に行くに従い、徐々に幅広となるように形成されている。
【００５７】
このブロック体の前壁Ｆは、上下方向における約７．５ｃｍの高さを有している。また、後壁Ｂは、上下方向における約９．７ｃｍの高さを有している。さらに、ブロック体は、前壁Ｆと後壁Ｂ間において、前後方向における約６．５ｃｍの厚みを有している。
【００５８】
そして、撚り戻し状態保持部材１１（１１Ａ，１１Ｂ）は、図４（ａ）に示すように、ブロック体において、前壁Ｆを境として、その右端面側に、各単位ケーブルの１線（例えば、単位ケーブルＫ３）を支持する第１固定部１２を備えている。
【００５９】
また、ブロック体において、前壁Ｆを境として、その左端面側に、各単位ケーブルの他線（例えば、単位ケーブルＫ１，Ｋ２）を支持する第２固定部１３（１３ａ，１３ｂ）を備えている。
【００６０】
撚り戻し状態保持部材１１（１１Ａ，１１Ｂ）の第１固定部１２は、図３（ｂ）・図４（ａ）に示すように、比較的に大きな凹部により形成されている。また、第２固定部１３は、比較的に小さな凹部（１３ａ）と、中位の凹部（１３ｂ）を、上下に連接して形成されている。
【００６１】
そして、撚り戻し状態保持部材１１（１１Ａ，１１Ｂ）は、図４（ｂ）（ｃ）（ｄ）に示すように、後壁Ｂ側における約１．５ｃｍの厚み部分が、フラットに形成されている。
【００６２】
そのため、第１固定部１２は、図４（ａ）（ｂ）（ｄ）に示すように、後壁Ｂ側において凹状に湾曲しているフラット面１２ｂと、フラット面１２ｂの端部から前壁Ｆに至るまでに存在する、凹状に湾曲している傾斜面１２ａにより形成されている。この傾斜面１２ａは、フラット面１２ｂから前壁Ｆ側に行くに従い、ブロック体が徐々に幅狭となるように傾斜している。
【００６３】
また、第２固定部１３の上方に位置する凹部（１３ａ）は、図３（ａ）（ｂ）に示すように、後壁Ｂ側において凹状に湾曲しているフラット面１３ａ−２と、フラット面１３ａ−２の端部から前壁Ｆに至るまでに存在する、凹状に湾曲している傾斜面１３ａ−１により形成されている。
【００６４】
同様に、第２固定部１３の下方に位置する凹部（１３ｂ）は、後壁Ｂ側において凹状に湾曲しているフラット面１３ｂ−２と、フラット面１３ｂ−２の端部から前壁Ｆに至るまでに存在する、凹状に湾曲している傾斜面１３ｂ−１により形成されている。
【００６５】
これらの傾斜面１３ａ−１、１３ｂ−１は、フラット面１３ａ−２、１３ｂ−２から前壁Ｆ側に行くに従い、ブロック体が徐々に幅狭となるように傾斜している。
【００６６】
さらに、第２固定部１３の上方に位置する凹部（１３ａ）の傾斜面１３ａ−１における上端辺は、図４（ｃ）に示すように、フラット面１３ａ−２の上端部から前壁Ｆの上端部にかけて、次第に高さを低くするように傾斜している。
【００６７】
また、第１固定部１２の上方は、図４（ａ）（ｂ）に示すように、後壁Ｂ側において存在する直線状のフラット面ｂと、フラット面ｂの端部から前壁Ｆに至るまでに形成された、直線状の傾斜面ａが存在する。
【００６８】
この他、第１固定部１２の上方における、直線状のフラット面ｂと、第２固定部１３の上方における、凹状に湾曲しているフラット面１３ａ−2の間には、図３（ｂ）に示すように、凹状に湾曲している水平フラット面ｄが存在する。また、第１固定部１２の上方における、直線状の傾斜面ａと、第２固定部１３の上方における、凹状に湾曲している傾斜面１３ａ−１の間には、図３（ｂ）に示すように、凹状に湾曲している傾斜面ｃが存在する。
【００６９】
この傾斜面ｃは、図３（ｂ）・図４（ｂ）（ｃ）に示すように、後壁Ｂ側の凹状に湾曲している水平フラット面ｄから前壁Ｆの上端部にかけて、次第に高さを低くするように傾斜している。また、傾斜面ｃは、後壁Ｂ側の凹状に湾曲している水平フラット面ｄから前壁Ｆの上端部にかけて、次第に幅狭になる略三角状に形成されている。
【００７０】
加えて、ブロック体の下面には、図４（ｅ）に示すように、フラット面ｅが存在する。このフラット面ｅは、ブロック体の他のフラット面ｄ、ｂ、１２ｂ、１３ａ−２、１３ｂ−２よりも幅広に形成されている。また、このフラット面ｅから前壁Ｆ側にかけて、次第に幅狭となる下部フラット面ｆが存在する。そして、ブロック体の下面は、両フラット面ｅ、ｆにより、略台形状に形成されている。
【００７１】
以下に、撚り戻し棒１と、撚り戻し状態保持部材１１（１１Ａ，１１Ｂ）を使用した、電力用ケーブルの撚り戻し方法を説明する。
【００７２】
先ず、図５（ａ）に示すように、撚り戻し棒１のテーパー２を、例えば、単位ケーブルＫ２と単位ケーブルＫ３の間に強制的に挿入し、両単位ケーブルＫ２・Ｋ３の間をこじ開けるようにする。
【００７３】
そして、撚り戻し棒１を、電力用ケーブルの撚りを戻す方向に回転させて、各単位ケーブルＫ１，Ｋ２，Ｋ３のそれぞれの撚りを戻し、各単位ケーブルＫ１，Ｋ２，Ｋ３の間に隙間が生じるようにする。
【００７４】
次に、撚り戻し棒１の近傍において、図５（ｂ）に示すように、撚りを戻した状態の３本の単位ケーブルＫ１，Ｋ２，Ｋ３のそれぞれの内側に、一方の撚り戻し状態保持部材１１Ａを配置する。
【００７５】
このとき、図６（ａ）（ｂ）（ｃ）に示すように、撚り戻し状態保持部材１１Ａの一端側の第１固定部１２に、３本の単位ケーブルＫ１，Ｋ２，Ｋ３の中の検電する１線Ｋ３を支持させ、該撚り戻し状態保持部材１１Ａの他端側における第２固定部１３ａ，１３ｂに、３本の単位ケーブルＫ１，Ｋ２，Ｋ３の中の他の２線Ｋ１，Ｋ２をそれぞれ支持させる。
【００７６】
その後、図５（ｃ）に示すように、３本の単位ケーブルＫ１，Ｋ２，Ｋ３の間に宛がっている撚り戻し状態保持部材１１Ａの後壁Ｂを、ピック用のハンマーＨ等で叩いて撚り戻し状態保持部材１１Ａを前方に移動させ、自身の第１固定部１２と第２固定部１３ａ，１３ｂにより、３本の単位ケーブルＫ１，Ｋ２，Ｋ３の撚りを更に戻していく。
【００７７】
次に、図５（ｄ）に示すように、撚り戻し棒１が差し込まれている近傍に、もう一方の撚り戻し状態保持部材１１Ｂを配置する。このとき、２個の撚り戻し状態保持部材１１Ａ，１１Ｂは、自身の後壁Ｂを相手方に向けて、互いに背中合わせになるように配置する。
【００７８】
次に、撚り戻し棒１を引き抜く。
【００７９】
そして、３本の単位ケーブルＫ１，Ｋ２，Ｋ３の間に配置されている撚り戻し状態保持部材１１Ｂの後壁ＢをハンマーＨで叩いて前方に移動させ、自身の第１固定部１２と第２固定部１３ａ，１３ｂにより、３本の単位ケーブルＫ１，Ｋ２，Ｋ３の撚りを更に戻していく。
【００８０】
すると、図５（ｄ）に示すように、２個の撚り戻し状態保持部材１１Ａ，１１Ｂは、所定の距離を隔てて存在することとなり、２個の撚り戻し状態保持部材１１Ａ，１１Ｂにより、単位ケーブルの検電する１線Ｋ３と、他線Ｋ１，Ｋ２との距離を大きく確保した状態となる。
【００８１】
尚、単位ケーブルの検電する１線Ｋ３と、他線Ｋ１，Ｋ２との距離を大きく確保するために、２個の撚り戻し状態保持部材１１Ａ，１１Ｂを、最低でも６０ｃｍ離すこととする。
【００８２】
以下に、撚り戻し棒１と、撚り戻し状態保持部材１１（１１Ａ，１１Ｂ）を使用した、電力用ケーブルの他の撚り戻し方法を説明する。
【００８３】
先ず、図５（ａ）に示すように、撚り戻し棒１のテーパー２を、例えば、単位ケーブルＫ２と単位ケーブルＫ３の間に強制的に挿入し、両単位ケーブルＫ２・Ｋ３の間をこじ開けるようにする。
【００８４】
そして、撚り戻し棒１を、電力用ケーブルの撚りを戻す方向に回転させて、各単位ケーブルＫ１，Ｋ２，Ｋ３のそれぞれの撚りを戻し、各単位ケーブルＫ１，Ｋ２，Ｋ３の間に隙間が生じるようにする。
【００８５】
次に、撚り戻し棒１の近傍において、図５（ｂ）に示すように、撚りを戻した状態の３本の単位ケーブルＫ１，Ｋ２，Ｋ３のそれぞれの内側に、一方の撚り戻し状態保持部材１１Ａを配置する。
【００８６】
その後、図５（ｃ）に示すように、３本の単位ケーブルＫ１，Ｋ２，Ｋ３の間に宛がっている撚り戻し状態保持部材１１Ａの後壁Ｂを、ピック用のハンマーＨ等で叩いて撚り戻し状態保持部材１１Ａを前方に移動させ、自身の第１固定部１２と第２固定部１３ａ，１３ｂにより、３本の単位ケーブルＫ１，Ｋ２，Ｋ３の撚りを更に戻していく。
【００８７】
次に、撚り戻し棒１を引き抜く。
【００８８】
そして、撚り戻し状態保持部材１１Ａが配置されている位置から所定の距離を隔てた離隔箇所に、撚り戻し棒１を挿入して各単位ケーブルＫ１，Ｋ２，Ｋ３の撚り戻しを行う。
【００８９】
次に、図５（ｄ）に示すように、撚り戻し棒１が差し込まれている近傍に、もう一方の撚り戻し状態保持部材１１Ｂを配置する。このとき、２個の撚り戻し状態保持部材１１Ａ，１１Ｂは、自身の後壁Ｂを相手方に向けて、互いに背中合わせになるように配置される。
【００９０】
次に、撚り戻し棒１を引き抜く。
【００９１】
そして、３本の単位ケーブルＫ１，Ｋ２，Ｋ３の間に配置されている撚り戻し状態保持部材１１Ｂの後壁ＢをハンマーＨで叩いて前方に移動させ、自身の第１固定部１２と第２固定部１３ａ，１３ｂにより、３本の単位ケーブルＫ１，Ｋ２，Ｋ３の撚りを更に戻していく。
【００９２】
すると、図５（ｄ）に示すように、２個の撚り戻し状態保持部材１１Ａ，１１Ｂは、所定の距離を隔てて存在することとなり、２個の撚り戻し状態保持部材１１Ａ，１１Ｂにより、単位ケーブルの検電する１線Ｋ３と、他線Ｋ１，Ｋ２との距離を大きく確保した状態となる。
【００９３】
この様に、撚り戻し状態保持部材１１Ａ，１１Ｂの第１固定部１２と第２固定部１３ａ，１３ｂにより、３本の単位ケーブルＫ１，Ｋ２，Ｋ３のそれぞれを支持し、その撚りを戻すものであるが、これに限定されることはない。
【００９４】
例えば、必要に応じて、第１固定部１２の上方における直線状のフラット面ｂと、第２固定部１３の上方における凹状に湾曲しているフラット面１３ａ−２の間に存在する、凹状に湾曲している水平フラット面ｄにより、３本の単位ケーブルＫ１，Ｋ２，Ｋ３のいずれかを支持しても良い。
【００９５】
また、通常は１本の撚り戻し棒１を用いて、各単位ケーブルＫ１，Ｋ２，Ｋ３の撚りを戻すものであるが、これに限定されることはなく、２本の撚り戻し棒１を用いても良い。
【００９６】
このときは、例えば、１本の撚り戻し棒１のテーパー２を単位ケーブルＫ１と単位ケーブルＫ２の間に強制的に挿入し、両単位ケーブルＫ１・Ｋ２の間をこじ開けるようにする。同様に、もう１本の撚り戻し棒１のテーパー２を単位ケーブルＫ２と単位ケーブルＫ３の間に強制的に挿入し、両単位ケーブルＫ２・Ｋ３の間をこじ開けるようにする。
【００９７】
そして、両撚り戻し棒１のそれぞれを互いに反対方向に撚り、各単位ケーブルＫ１，Ｋ２，Ｋ３のそれぞれの撚りを戻して、各単位ケーブルＫ１，Ｋ２，Ｋ３の間に隙間が生じるようにするのである。
【００９８】
こうして、撚りを戻した各単位ケーブルＫ１，Ｋ２，Ｋ３の間に両撚り戻し状態保持部材１１Ａ，１１Ｂを宛がうことにより、３本の単位ケーブルＫ１，Ｋ２，Ｋ３の中の検電する１線Ｋ３を、他の２線Ｋ１，Ｋ２から離した状態が維持されるので、電力用ケーブルの停止確認作業がし易い状態となるのである。
【産業上の利用可能性】
【００９９】
本発明は、撚りの強い電力用ケーブルであっても、各単位ケーブルの内部構造に悪影響を与えることなく簡単に撚り戻すことができ、検電する単位ケーブルを、他の２本の単位ケーブルから離して、電力用ケーブルの停止確認作業をし易い状態にする電力用ケーブルの撚り戻し工具および撚り戻し方法として、種々の工事に広く利用することができる。
【図面の簡単な説明】
【０１００】
【図１】本発明に係る撚り戻し工具を構成する撚り戻し棒の構成を示す斜視図である。
【図２】撚り戻し棒の構成を示し、（ａ）は側面図、（ｂ）は平面図である。
【図３】本発明に係る撚り戻し工具を構成する撚り戻し状態保持部材の構成を示し、（ａ）は後壁側から見た斜視図、（ｂ）は前壁側から見た斜視図である。
【図４】撚り戻し状態保持部材の構成を示し、（ａ）は正面図、（ｂ）は右側面図、（ｃ）は左側面図、（ｄ）は平面図、（ｅ）は底面図である。
【図５】撚り戻し棒と２個の撚り戻し状態保持部材を使用した単位ケーブルの撚り戻し工程を説明するもので、（ａ）は３本の単位ケーブルの撚り合わせ部分に撚り戻し棒を挿入した状態の斜視図、（ｂ）は一方の撚り戻し状態保持部材を３本の単位ケーブルの内側に宛がっている状態の斜視図、（ｃ）は一方の撚り戻し状態保持部材をハンマーで叩いて移動させている状態の斜視図、（ｄ）は他方の撚り戻し状態保持部材を３本の単位ケーブルの内側に宛がっている状態の斜視図である。
【図６】撚り戻し状態保持部材を３本の単位ケーブルの内側に宛がっている状態を説明するもので、（ａ）は斜め側方から見た斜視図、（ｂ）は斜め上方から見た斜視図、（ｃ）は斜め後方から見た斜視図である。
【図７】Ａ供給用配電箱とＢ供給用配電箱との間の新たなお客さまに供給する目的で供給用配電箱を新設するために、この電力用ケーブルの切断作業を行うには、その前段として当該ケーブルが確実に停止しているかどうかを確認する必要がある状態を示した概略図である。
【図８】従来例における撚り戻し方法を説明するもので、（ａ）は３本の単位ケーブルの撚り合わせ状態を示す斜視図、（ｂ）は２本のハンマーの柄を３本の単位ケーブルの撚り合わせ部分に挿入した状態を示す斜視図、（ｃ）は２本のハンマーの柄を互いに反対方向に撚りながら離隔させることで、各単位ケーブルのそれぞれの撚りを戻した状態を示す斜視図である。
【符号の説明】
【０１０１】
Ｋ１，Ｋ２…単位ケーブル（他線）
Ｋ３…単位ケーブル（検電する１線）
Ｈ…ハンマー
１…撚り戻し棒
２…テーパー
１１（１１Ａ，１１Ｂ）…撚り戻し状態保持部材
１２（１２ａ，１２ｂ）…第１固定部
１３（１３ａ，１３ｂ）…第２固定部
【図１】
2009071915.tif 000003
【図２】
2009071915.tif 000004
【図３】
2009071915.tif 000005
【図４】
2009071915.tif 000006
【図５】
2009071915.tif 000007
【図６】
2009071915.tif 000008
【図７】
2009071915.tif 000009
【図８】
2009071915.tif 000010